(57)【特許請求の範囲】
【請求項１】
車両に搭載され、携帯機器（８０）との間の通信結果に従って車両を駆動する車両駆動装置（５，１０）であって、
前記車両に搭載されたアンテナ（２２，３２，７２，７４，９２）を介した近接無線通信によって、前記携帯機器との間で情報通信を実行する情報取得手段（２０，３０，７０，９８）と、
前記情報取得手段により前記携帯機器から特定情報を取得すれば、前記車両を駆動し、前記情報取得手段により前記携帯機器から前記特定情報を取得できなければ、前記車両の駆動を停止する駆動制御手段（１０，Ｓ１２０〜Ｓ２４０）と
を備えることを特徴とする車両駆動装置。
【請求項２】
車両に搭載され、携帯機器（８０）との間の通信結果に従って車両を駆動する車両駆動装置（５，１０）であって、
前記車両に搭載されたアンテナ（２２，３２，７２，７４，９２）を介した近接無線通信によって、前記携帯機器との間で情報通信を実行する情報取得手段（２０，３０，７０，９８）と、
前記情報取得手段により前記携帯機器から特定情報を取得すれば、前記車両を駆動し、前記情報取得手段により前記携帯機器から前記特定情報を取得できなければ、前記車両の駆動を停止する駆動制御手段（１０，Ｓ１２０〜Ｓ２４０）と、
を備え、
前記駆動制御手段は、
前記情報取得手段により前記携帯機器から前記特定情報を取得できた場合であっても、
前記車両の舵角が、前記車両が直進しているものとみなせる舵角の範囲として規定された直進許容範囲を超えていれば、前記車両の駆動を停止する
ことを特徴とする車両駆動装置。
【請求項３】
前記情報取得手段は、前記携帯機器を識別する識別情報を前記近接無線通信によって情報通信し、
前記駆動制御手段は、
前記識別情報による認証を実行する認証手段（１０，Ｓ１２０）を備え、
前記認証手段での認証に成功すると、前記特定情報を取得できたものとし、前記認証手段での認証に不成功であれば、前記特定情報を取得できなかったものとする
ことを特徴とする請求項１または請求項２に記載の車両駆動装置。
【請求項４】
前記駆動制御手段は、
前記携帯機器にて受け付けた操作内容を表す操作情報を取得し、その取得した操作情報が、予め規定された規定操作を表す規定操作情報であるか否かを判定する操作判定手段（１０，Ｓ１２０）を備え、
前記操作判定手段での判定の結果、前記操作情報が前記規定操作情報であれば、前記特定情報を取得できたものとし、前記操作情報が前記規定操作情報でなければ、前記特定情報を取得できなかったものとする
ことを特徴とする請求項１から請求項３までのいずれか一項に記載の車両駆動装置。
【請求項５】
前記駆動制御手段は、
前記操作情報が前記車両の後退方向への駆動を表していれば、前記車両を全長方向に沿った後方へと駆動し、前記操作情報が前記車両の前進方向への駆動を表していれば、前記車両を全長方向に沿った前方へと駆動する
ことを特徴とする請求項４に記載の車両駆動装置。
【請求項６】
車両に搭載され、携帯機器（８０）との間の通信結果に従って車両を駆動する車両駆動装置（５，１０）であって、
前記車両に搭載されたアンテナ（２２，３２，７２，７４，９２）を介した近接無線通信によって、前記携帯機器との間で情報通信を実行する情報取得手段（２０，３０，７０，９８）と、
前記情報取得手段により前記携帯機器から特定情報を取得すれば、前記車両を駆動し、前記情報取得手段により前記携帯機器から前記特定情報を取得できなければ、前記車両の駆動を停止する駆動制御手段（１０，Ｓ１２０〜Ｓ２４０）と、
を備え、
前記アンテナは、前記車両の全長方向に沿って少なくとも２つ配置されており、
前記駆動制御手段は、
前記情報取得手段が前記特定情報を取得したアンテナが、前記車両の全長方向に沿って前方に配置されていれば、前記車両を全長方向に沿った後方へと駆動し、前記情報取得手段が前記特定情報を取得したアンテナが、前記車両の全長方向に沿って後方に配置されていれば、前記車両を全長方向に沿った前方へと駆動する
ことを特徴とする車両駆動装置。
【請求項７】
前記情報取得手段は、前記携帯機器を識別する識別情報を前記近接無線通信によって情報通信し、
前記駆動制御手段は、
前記識別情報による認証を実行する認証手段（１０，Ｓ１２０）を備え、
前記認証手段での認証に成功すると、前記特定情報を取得できたものとし、前記認証手段での認証に不成功であれば、前記特定情報を取得できなかったものとする
ことを特徴とする請求項６に記載の車両駆動装置。
【請求項８】
前記駆動制御手段は、
前記携帯機器にて受け付けた操作内容を表す操作情報を取得し、その取得した操作情報が、予め規定された規定操作を表す規定操作情報であるか否かを判定する操作判定手段（１０，Ｓ１２０）を備え、
前記操作判定手段での判定の結果、前記操作情報が前記規定操作情報であれば、前記特定情報を取得できたものとし、前記操作情報が前記規定操作情報でなければ、前記特定情報を取得できなかったものとする
ことを特徴とする請求項６または請求項７に記載の車両駆動装置。
【請求項９】
前記車両には、舵角を制御する舵角制御機構（４５）が設けられ、
前記駆動制御手段は、
前記車両の舵角が、前記車両が直進しているものとみなせる舵角の範囲として規定された直進許容範囲を超えていれば、前記舵角が前記直進許容範囲内となるように前記舵角制御機構を制御する舵角制御手段（１０，Ｓ１５０，Ｓ１６０）
を備えることを特徴とする請求項１又は請求項６から請求項８までのいずれか一項に記載の車両駆動装置。
【請求項１０】
前記駆動制御手段は、
前記情報取得手段により前記携帯機器から前記特定情報を取得できた場合であっても、
前記車両の舵角が、前記車両が直進しているものとみなせる舵角の範囲として規定された直進許容範囲を超えていれば、前記車両の駆動を停止することを特徴とする請求項６から請求項８までのいずれか一項に記載の車両駆動装置。
【請求項１１】
前記アンテナは、前記車両に設けられたエンブレムの背面に設けられていることを特徴とする請求項１から請求項１０までのいずれか一項に記載の車両駆動装置。
【請求項１２】
前記アンテナは、前記車両の側方に設けられていることを特徴とする請求項１から請求項１１までのいずれか一項に記載の車両駆動装置。
【請求項１３】
前記駆動制御手段は、
前記情報取得手段により前記携帯機器から特定情報を取得すると、前記車両の周辺の状況を表す周辺情報を前記携帯機器に送信する周辺情報送信手段（１０，Ｓ１８０，Ｓ２１０）
を備えることを特徴とする請求項１から請求項１２までのいずれか一項に記載の車両駆動装置。
【請求項１４】
前記駆動制御手段は、
前記車両の周辺の状況を撮像する撮像装置（６４）にて撮像した画像を、前記周辺情報の１つとして取得することを特徴とする請求項１３に記載の車両駆動装置。
【請求項１５】
前記駆動制御手段は、
前記車両の周辺の状況をセンシングするセンサ（６４）での検知結果を、前記周辺情報の１つとして取得することを特徴とする請求項１３または請求項１４に記載の車両駆動装置。
【請求項１６】
前記車両には、開閉機構を施錠解錠するロック機構（５２）が設けられ、
前記駆動制御手段は、
前記情報取得手段により前記携帯機器から特定情報を取得すると、前記開閉機構を施錠状態とするように前記ロック機構を制御するロック制御手段（１０，Ｓ１３０）
を備えることを特徴とする請求項１から請求項１５までのいずれか一項に記載の車両駆動装置。
【請求項１７】
前記車両は、パワートレイン系を有した自動車であり、前記パワートレイン系に対する制御の操作を当該車両の内部から受け付けるパワトレ制御機構が設けられ、
前記駆動制御手段は、
前記情報取得手段により前記携帯機器から特定情報を取得すると、前記パワトレ制御機構を介した操作の受け付けを停止する受付停止手段（１０，Ｓ１３０）
を備えることを特徴とする請求項１から請求項１６までのいずれか一項に記載の車両駆動装置。
【請求項１８】
前記車両は、パワートレイン系を有した自動車であり、前記パワートレイン系に対する制御の操作を当該車両の内部から受け付けるパワトレ制御機構が設けられ、
前記パワトレ制御機構を介した操作を受け付けると、前記駆動制御手段による前記車両の駆動を停止する駆動停止手段（１０，Ｓ２０５，Ｓ２３５，Ｓ２４０）を備える
ことを特徴とする請求項１から請求項１７までのいずれか一項に記載の車両駆動装置。
【請求項１９】
前記駆動制御手段は、
前記車両に搭載された駆動機関が停止していれば、前記情報取得手段による前記携帯機器からの特定情報の取得の成否を判定することを特徴とする請求項１から請求項１８までのいずれか一項に記載の車両駆動装置。
【発明の詳細な説明】
【技術分野】
【０００１】
本発明は、車両を駆動する車両駆動装置に関する。
【背景技術】
【０００２】
従来、車両に搭載される車載装置と、利用者が所持するリモコン装置とを備え、リモコン装置での操作により車両を遠隔操作する遠隔操作システムが知られている（特許文献１参照）。
【０００３】
特許文献１に記載された遠隔操作システムにおいては、車載装置が遠隔操作による車両の駆動を許可する操作許可条件を、リモコン装置が車両から所定距離の範囲内に存在し、かつ、操作者と車両との間に視界を遮るほどの障害物が非存在であることとしている。
【０００４】
特許文献１には、操作許可条件の具体例として、リモコン装置に設けられた撮像装置にて、車両に設けられた二次元コードを撮像した結果、その撮像した二次元コードが所定サイズであることが挙げられている。撮像装置での二次元コードの撮像は、予め規定された倍率などの撮像条件に従う。
【先行技術文献】
【特許文献】
【０００５】
【特許文献１】特開２００７−２６５２８８号公報
【発明の概要】
【発明が解決しようとする課題】
【０００６】
ところで、特許文献１に記載された遠隔操作システムにおいては、操作許可条件を満たすために二次元コードの撮像が必要であり、車両の遠隔操作に必要となる操作者の手間が大きいという課題がある。
【０００７】
つまり、従来の技術では、車両の遠隔操作に必要となる操作者の負担を低減することが求められている。
そこで、本発明は、車両を遠隔操作する技術において、操作者の負担を低減することを目的とする。
【課題を解決するための手段】
【０００８】
上記目的を達成するためになされた本発明は、車両に搭載され、携帯機器（８０）との間の通信結果に従って車両を駆動する車両駆動装置（５，１０）である。本発明の車両駆動装置は、情報取得手段（２０，３０，７０）と、駆動制御手段（１０，Ｓ１２０〜Ｓ２４０）とを備える。
【０００９】
このうち、情報取得手段は、車両に搭載されたアンテナ（２２，３２，７２，７４）を介した近接無線通信によって、携帯機器との間で情報通信を実行する。駆動制御手段は、情報取得手段により携帯機器から特定情報を取得すれば、車両を駆動し、情報取得手段により携帯機器から特定情報を取得できなければ、車両の駆動を停止する。
【００１０】
このような車両駆動装置では、携帯機器から特定情報を取得すれば、車両を駆動することができる。一方、車両駆動装置では、携帯機器から特定情報を取得できない場合には、車両の駆動を停止する。
【００１１】
したがって、車両を駆動するために車両駆動装置の利用者が行う操作は、アンテナ（情報取得手段）との間で近接無線通信可能な距離の範囲に、携帯機器を近づけるだけで良い。
【００１２】
このため、本発明の車両駆動装置によれば、車両の遠隔操作に必要となる操作者の負担を低減することができる。
本発明の車両駆動装置においては、車両の駆動を継続するためには、アンテナ（情報取得手段）との間で近接無線通信可能な距離の範囲内に、アンテナと携帯機器との位置関係を維持し続ける必要がある。近接無線通信によって情報取得手段が情報通信可能な範囲は狭い。このため、本発明の車両駆動装置において、車両を継続的に駆動するためには、アンテナとの間で近接無線通信可能な距離の範囲内に携帯機器が位置し続けるように、車両の移動に併せて利用者自身も移動する必要がある。
【００１３】
本発明の車両駆動装置によれば、上述したように利用者自身も移動し、かつアンテナとの間で近接無線通信可能な距離の範囲内に携帯機器の位置を維持し続けることにより、利用者が手で押しているような感覚で、車両の駆動を実現することができる。
【００１４】
なお、「特許請求の範囲」及び「課題を解決するための手段」の欄に記載した括弧内の符号は、一つの態様として後述する実施形態に記載の具体的手段との対応関係を示すものであって、本発明の技術的範囲を限定するものではない。
【図面の簡単な説明】
【００１５】
【図１】第１実施形態の遠隔操作システムを例示する説明図である。
【図２】第１実施形態の遠隔操作システムの概略構成を示すブロック図である。
【図３】第１実施形態の車両操作処理の処理手順を示すフローチャートである。
【図４】第２実施形態の遠隔操作システムを例示する説明図である。
【図５】第２実施形態の遠隔操作システムの概略構成を示すブロック図である。
【図６】第２実施形態におけるアンテナの配置例を説明する説明図である。
【図７】変形例における車両操作処理の処理手順を示すフローチャートである。
【図８】変形例における車両操作処理の処理手順を示すフローチャートである。
【図９】第３実施形態の遠隔操作システムの概略構成を示すブロック図である。
【図１０】第３実施形態におけるアンテナの配置例を説明する説明図である。
【図１１】第３実施形態の車両操作処理の処理手順を示すフローチャートである。
【発明を実施するための形態】
【００１６】
以下に本発明の実施形態を図面と共に説明する。
［第１実施形態］
＜遠隔操作システム＞
図１に示すように、遠隔操作システム１は、四輪自動車ＡＭに搭載される車載システム５と、利用者が所持する携帯機器８０とを備えている。遠隔操作システム１における車載システム５は、携帯機器８０を介して入力された情報に従って、車載システム５自身が搭載された四輪自動車ＡＭを駆動する。
【００１７】
図２に示すように、携帯機器８０は、操作受付部８２と、無線通信部８４と、近接無線通信部８６と、報知部８８と、制御部９０とを備えている。
このうち、操作受付部８２は、携帯機器８０に設けられた入力機構（図示せず）を介して情報の入力を受け付ける。ここで言う入力機構とは、外部からの情報の入力を受け付ける周知の構造である。入力機構には、例えば、メカニカルなキー（図示せず）や、タッチパネル、マイクロホン、カメラなどを含む。
【００１８】
無線通信部８４は、携帯電話網を介した情報通信や音声通信、無線通信回線を介した情報通信を実行する。この無線通信部８４は、制御部９０からの情報（即ち、通信データや音声信号）を携帯電話網へ送信し、携帯電話網からの情報を受信して制御部９０に出力する。また、無線通信部８４は、制御部９０からの通信データを無線通信回線に送出し、無線通信回線からの通信データを受信して制御部９０に出力する。ここで言う無線通信回線とは、例えば、周知の無線ＬＡＮである。
【００１９】
近接無線通信部８６は、近接無線通信を利用して情報を出力する。本実施形態においては、近接無線通信（ＮＦＣ：Ｎｅａｒ  Ｆｉｅｌｄ  Ｃｏｍｍｕｎｉｃａｔｉｏｎ）として、ＩＳＯ／ＩＥＣ１８０９２にて規定される方式の通信や、ＩＳＯ／ＩＥＣ２１４１８にて規定される方式の通信を用いれば良い。
【００２０】
報知部８８は、制御部９０からの信号に基づいて、各種情報を出力する周知の装置である。この報知部８８は、例えば、画像を表示する表示装置や、情報を音声で出力するスピーカなどである。なお、表示装置は、タッチパネルと兼用されていても良い。
【００２１】
制御部９０は、ＲＯＭ，ＲＡＭ，ＣＰＵを有した周知のマイクロコンピュータを中心に構成された周知の制御装置である。この制御部９０のＲＯＭには、携帯機器８０を識別する識別情報（以下、「携帯ＩＤ」と称す）が格納されている。
【００２２】
すなわち、本実施形態における携帯機器８０は、周知の携帯型の無線通信端末である。この携帯型の無線通信端末には、例えば、周知の携帯情報端末としてのスマートフォンやタブレット端末が含まれる。
【００２３】
＜車載システム＞
次に、車載システム５は、車両操作電子制御装置１０と、近接無線通信部２０，３０と、パワトレ系電子制御装置４０と、ステアリング電子制御装置４５と、ボデー電子制御装置５０と、周辺監視電子制御装置６０とを備えている。各電子制御装置４０，４５，５０，６０は、少なくともＲＯＭ、ＲＡＭ、ＣＰＵを備えた周知のマイクロコンピュータを中心に構成され、少なくともＬＡＮ通信バス１００を介して通信を実施するためのバスコントローラを備えている。以下では、電子制御装置をＥＣＵ（Ｅｌｅｃｔｒｏｎｉｃ  Ｃｏｎｔｒｏｌ  Ｕｎｉｔ）とも称す。
【００２４】
パワトレ系ＥＣＵ４０は、自動車の駆動機関やパワートレイン機構、制動機構を制御する。ここで言う駆動機関とは、自動車の駆動に必要な駆動力を発生する周知の機関である。駆動機関には、例えば、内燃機関や電動機、燃料電池などを含む。
【００２５】
また、パワートレイン機構とは、駆動機関で発生した駆動力を駆動輪に伝達する周知の機構である。本実施形態において、駆動機関が内燃機関である場合には、パワートレイン機構としてトランスミッションを含んでも良い。また、本実施形態において、駆動機関が電動機である場合には、パワートレイン機構は電動機そのものを含んでも良い。ここで言う制動機構とは、自動車における制動力を発生する周知の機構である。この制動機構として、例えば、周知のブレーキ機構を採用できる。
【００２６】
ステアリングＥＣＵ４５は、自動車に搭載された周知のステアリング機構を制御する。
ボデーＥＣＵ５０は、自動車に搭載されたボデー系を制御する。ここで言うボデー系には、自車両の車載機器を駆動するアクチュエータ５２や、警報音を出力するブザー５４などを含む。アクチュエータ５２が駆動する車載機器には、電動ミラーや電動シートを含む。さらに、アクチュエータ５２が駆動する車載機器には、自車両に設けられた開閉機構を施錠解錠するロック機構が含まれる。ここで言う開閉機構には、運転席や助手席に設けられたドアや背面ドアなどを含む。
【００２７】
周辺監視ＥＣＵ６０は、自車の周辺の情報を取得し、自車両に搭載された各種装置を制御する。本実施形態における周辺監視ＥＣＵ６０には、少なくとも、無線通信部６２と、周辺監視装置６４とが接続されている。このうち、無線通信部６２は、無線通信回線を介した情報通信を実行する。
【００２８】
また、本実施形態における周辺監視装置６４は、自車両の周辺の状況を監視する周知の装置である。この周辺監視装置６４は、自車の周辺の状況を撮像する撮像装置であっても良いし、自車の周辺の状況をセンシングするセンシング装置であっても良い。ここで言うセンシング装置には、探査波を送受信した結果に基づいて物体の位置を検出するレーダ装置を含む。なお、本実施形態における探査波は、電波であっても良いし、光波であっても良いし、音波であっても良い。
【００２９】
近接無線通信部２０は、アンテナ２２と、ＲＦ回路２４と、制御部２６とを備えている。
このうち、アンテナ２２は、近接無線通信によって情報を受信する。このアンテナ２２は、自車のフロントグリルに設けられた自車のエンブレムの背面に配置される（図１参照）。ＲＦ回路２４は、アンテナ２２にて受信した通信データを制御部２６へと伝送する。制御部２６は、アンテナ２２を介して近接無線通信のトリガー信号を出力すると共に、アンテナ２２を介して受信した通信データを車両操作ＥＣＵ１０に出力する。
【００３０】
近接無線通信部３０は、アンテナ３２と、ＲＦ回路３４と、制御部３６とを備えている。
このうち、アンテナ３２は、近接無線通信によって情報を受信する。このアンテナ３２は、自車のリアフレームに設けられた自車のエンブレムの背面に配置される。ＲＦ回路３４は、アンテナ３２にて受信した通信データを制御部３６へと伝送する。制御部３６は、アンテナ３２を介して近接無線通信のトリガー信号を出力すると共に、アンテナ３２を介して受信した通信データを車両操作ＥＣＵ１０に出力する。
【００３１】
車両操作ＥＣＵ１０は、少なくともＲＯＭ１２、ＲＡＭ１４、ＣＰＵ１６を備えた周知のマイクロコンピュータを中心に構成され、ＬＡＮ通信バス１００を介して通信を実施するためのバスコントローラを備えている。
【００３２】
車両操作ＥＣＵ１０のＲＯＭ１２には、近接無線通信部２０，３０を介した近接無線通信の結果に基づいて、自車の駆動を制御する車両操作処理を車両操作ＥＣＵ１０が実行するための処理プログラムが格納されている。
【００３３】
すなわち、本実施形態の車両操作ＥＣＵ１０が、特許請求の範囲に記載された車両駆動装置として機能する。
なお、車載システム５には、図示しない車載バッテリーが接続されており、発電機（例えば、オルタネーター）からの電力供給が遮断されても駆動するように構成されている。
【００３４】
＜車両操作処理＞
次に、車両操作ＥＣＵ１０が実行する車両操作処理について説明する。なお、本実施形態においては、駆動機関が内燃機関であるものとして説明する。本実施形態の車両操作処理は、規定タイミングごとに起動される処理である。
【００３５】
この車両操作処理が起動されると、図３に示すように、車両操作ＥＣＵ１０は、まず、内燃機関（Ｅ／Ｇ）が停止しているか否かを判定する（Ｓ１１０）。このＳ１１０での判定の結果、内燃機関が動作していれば（Ｓ１１０：ＮＯ）、車両操作ＥＣＵ１０は、本車両操作処理を終了して、次の起動タイミングまで待機する。
【００３６】
一方、Ｓ１１０での判定結果、内燃機関が停止していれば（Ｓ１１０：ＹＥＳ）、車両操作ＥＣＵ１０は、予め規定された操作条件を満たしているか否かを判定する（Ｓ１２０）。本実施形態における操作条件とは、携帯機器８０との間で近接無線通信に成功していること、かつ、近接無線通信に成功している携帯機器８０から、予め規定された規定操作の操作内容を表す規定操作情報を受信していることである。
【００３７】
具体的には、本実施形態のＳ１２０では、近接無線通信部２０及び近接無線通信部３０からトリガー信号（搬送波）を送信する。そのトリガー信号を受信した携帯機器８０は、近接無線通信により携帯ＩＤを送信する。そして、車両操作ＥＣＵ１０は、携帯機器８０から受信した携帯ＩＤが、予め登録された識別情報と一致していれば、携帯機器８０との間で近接無線通信に成功しているものと判定する。
【００３８】
さらに、本実施形態のＳ１２０では、携帯機器８０の操作受付部８２を介して入力された操作内容を表す操作情報を取得する。この操作情報の取得は、近接無線通信部２０または近接無線通信部３０のいずれかを介した近接無線通信によって実現しても良いし、無線通信部６２を介した無線通信によって実現しても良い。
【００３９】
そして、その取得した操作情報が、予め規定された規定操作を表す規定操作情報に一致していれば、携帯機器８０から規定操作情報を受信しているものと判定する。なお、規定操作とは、特定のキーを操作し続けることでも良いし、予め規定された複数のキーを規定された順序で操作することであっても良いし、その他の操作であっても良い。
【００４０】
なお、本実施形態における携帯ＩＤや操作情報は、特許請求の範囲に記載された特定情報の一例である。
そして、Ｓ１２０での判定の結果、操作条件を満たしていなければ（Ｓ１２０：ＮＯ）、車両操作ＥＣＵ１０は、本車両操作処理を終了して、次の起動タイミングまで待機する。一方、Ｓ１２０での判定の結果、操作条件を満たしていれば（Ｓ１２０：ＹＥＳ）、車両操作ＥＣＵ１０は、開閉機構を施錠する施錠指令を、ボデーＥＣＵ５０に出力する（Ｓ１３０）。この施錠指令を受信したボデーＥＣＵ５０は、ロック機構を制御して、四輪自動車ＡＭに設けられた開閉機構を施錠する。
【００４１】
さらに、車両操作処理のＳ１３０では、車両操作ＥＣＵ１０は、パワトレ制御機構を介した操作の受け付けを停止する。ここで言うパワトレ制御機構とは、パワートレイン系に対する制御の操作を自車両の内部から受け付ける機構である。ここで言うパワトレ制御機構には、例えば、アクセルペダルやシフトレバー、イグニッションスイッチ、ブレーキペダルなどを含む。また、実施形態における「操作の受け付けを停止」とは、パワトレ制御機構を介した操作が入力されても、その入力された操作を、パワートレイン系の制御に用いないことを含むものであり、その実現手法はどのようなものであっても良い。
【００４２】
続いて、車両操作処理では、車両操作ＥＣＵ１０は、パワートレインを始動させる（Ｓ１４０）。具体的には、Ｓ１４０では、車両操作ＥＣＵ１０は、パワトレ系ＥＣＵ４０に対して始動指令を出力する。その始動指令を受信したパワトレ系ＥＣＵ４０は、内燃機関を始動させると共に、自車両が停止した状態を維持する制動力を発揮するように制動機構を制御する。
【００４３】
さらに、車両操作ＥＣＵ１０は、自車両のステアリング角が、予め規定された直進許容範囲内であるか否かを判定する（Ｓ１５０）。ここで言う直進許容範囲とは、自車両が直進しているものとみなせるステアリング角（舵角）の範囲として規定されたものである。
【００４４】
このＳ１５０での判定の結果、自車両のステアリング角が直進許容範囲を超えていれば（Ｓ１５０：ＮＯ）、車両操作ＥＣＵ１０は、ステアリング修正指令をステアリングＥＣＵ４５に出力する。そのステアリング修正指令を受信したステアリングＥＣＵ４５は、ステアリング角が直進許容範囲内となるように、ステアリングを修正する（Ｓ１６０）。車両操作ＥＣＵ１０は、車両操作処理をＳ１７０へと移行させる。
【００４５】
一方、Ｓ１５０での判定の結果、自車両のステアリング角が直進許容範囲内であれば（Ｓ１５０：ＹＥＳ）、車両操作ＥＣＵ１０は、Ｓ１６０を実行することなく、車両操作処理をＳ１７０へと移行させる。
【００４６】
そのＳ１７０では、車両操作ＥＣＵ１０は、近接無線通信部２０または近接無線通信部３０のいずれかを介して、近接無線通信が実行されているのかを判定する。すなわち、Ｓ１７０では、近接無線通信が、フロントに設置されたアンテナ２２を介して実行されているのか、リアに設置されたアンテナ３２を介して実行されているのかを判定する。
【００４７】
このＳ１７０での判定の結果、フロントに設置されたアンテナ２２を介して、近接無線通信が実行されていれば、車両操作ＥＣＵ１０は、車両操作処理を詳しくは後述するＳ２１０へと移行させる。
【００４８】
一方、Ｓ１７０での判定の結果、リアに設置されたアンテナ３２を介して、近接無線通信が実行されていれば、車両操作ＥＣＵ１０は、周辺情報を携帯機器８０に送信する（Ｓ１８０）。ここで言う周辺情報とは、自車両の前方（フロント方向）の状況を表す情報である。この周辺情報には、周辺監視装置６４としての撮像装置で撮像した画像や、センシング装置にてセンシングした結果を含む。そして、周辺情報を受信した携帯機器８０は、報知部８８としての表示装置に画像を表示したり、センシングの結果を表示したりする。
【００４９】
続いて、車両操作ＥＣＵ１０は、自車両が前進する方向に駆動されるようにパワトレ系ＥＣＵ４０に駆動指令を出力する（Ｓ１９０）。この駆動指令を受信したパワトレ系ＥＣＵ４０は、自車両が前進する方向に駆動されるように、駆動機関やパワートレイン機構、制動機構を制御する。具体的には、パワトレ系ＥＣＵ４０は、自車両が前進するようにパワートレイン機構を接続し、制動力が解除されるように制動機構を制御する。
【００５０】
さらに、車両操作ＥＣＵ１０は、操作条件を満たしているか否かを判定する（Ｓ２００）。このＳ２００での判定の結果、操作条件を満たしていなければ（Ｓ２００：ＮＯ）、車両操作ＥＣＵ１０は、詳しくは後述するＳ２４０へと車両操作処理を移行させる。
【００５１】
一方、このＳ２００での判定の結果、操作条件を満たしていれば（Ｓ２００：ＹＥＳ）、車両操作ＥＣＵ１０は、パワトレ制御機構を介した操作を受け付けたか否かを判定する（Ｓ２０５）。具体的にＳ２０５では、車両操作ＥＣＵ１０は、アクセルペダルやシフトレバー、ブレーキペダルなどを介した操作を受け付けた場合に、パワトレ制御機構を介した操作を受け付けたものと判定する。
【００５２】
このＳ２０５での判定の結果、パワトレ制御機構を介した操作を受け付けていれば（Ｓ２０５：ＹＥＳ）、車両操作ＥＣＵ１０は、車両操作処理をＳ２４０へと移行させる。一方、Ｓ２０５での判定の結果、パワトレ制御機構を介した操作を受け付けていなければ（Ｓ２０５：ＮＯ）、車両操作ＥＣＵ１０は、車両操作処理をＳ１８０へと移行させる。すなわち、操作条件を満たし、かつ、パワトレ制御機構を介した操作を受け付けていなければ、車両操作ＥＣＵ１０は、Ｓ１８０からＳ２０５を繰り返す。
【００５３】
ところで、Ｓ１７０での判定の結果、フロントに設置されたアンテナ２２を介して近接無線通信が実行されている場合に移行するＳ２１０では、車両操作ＥＣＵ１０は、周辺情報を携帯機器８０に送信する。ここで言う周辺情報とは、自車両の後方（リア方向）の状況を表す情報である。この周辺情報には、周辺監視装置６４としての撮像装置で撮像した画像や、センシング装置にてセンシングした結果を含む。この周辺情報を受信した携帯機器８０は、報知部８８としての表示装置に画像を表示したり、センシングの結果を表示したりする。
【００５４】
続いて、車両操作ＥＣＵ１０は、自車両が後進する方向に駆動されるようにパワトレ系ＥＣＵ４０に駆動指令を出力する（Ｓ２２０）。この駆動指令を受信したパワトレ系ＥＣＵ４０は、自車両が後進する方向に駆動されるように、駆動機関やパワートレイン機構、制動機構を制御する。具体的には、パワトレ系ＥＣＵ４０は、自車両が後進するようにパワートレイン機構を接続し、制動力が解除されるように制動機構を制御する。
【００５５】
さらに、車両操作ＥＣＵ１０は、操作条件を満たしているか否かを判定する（Ｓ２３０）。このＳ２３０での判定の結果、操作条件を満たしていれば（Ｓ２３０：ＹＥＳ）、パワトレ制御機構を介した操作を受け付けたか否かを判定する（Ｓ２３５）。具体的にＳ２３５では、車両操作ＥＣＵ１０は、アクセルペダルやシフトレバー、ブレーキペダルなどを介した操作を受け付けた場合に、パワトレ制御機構を介した操作を受け付けたものと判定する。
【００５６】
このＳ２３５での判定の結果、パワトレ制御機構を介した操作を受け付けていなければ（Ｓ２３５：ＮＯ）、車両操作ＥＣＵ１０は、車両操作処理をＳ２１０へと移行させる。すなわち、操作条件を満たし、かつ、パワトレ制御機構を介した操作を受け付けていなければ、車両操作ＥＣＵ１０は、Ｓ２１０からＳ２３５を繰り返す。
【００５７】
一方、Ｓ２３０での判定の結果、操作条件を満たしていなければ（Ｓ２３０：ＮＯ）、車両操作ＥＣＵ１０は、車両操作処理をＳ２４０へと移行させる。また、Ｓ２３５での判定の結果、パワトレ制御機構を介した操作を受け付けていれば（Ｓ２３５：ＹＥＳ）、車両操作ＥＣＵ１０は、車両操作処理をＳ２４０へと移行させる。
【００５８】
そのＳ２４０では、車両操作ＥＣＵ１０は、自車両の駆動が停止されるように、停止指令をパワトレ系ＥＣＵ４０に出力する。その停止指令を受信したパワトレ系ＥＣＵ４０は、自車両の駆動が停止するように、駆動機関やパワートレイン機構、制動機構を制御する。
【００５９】
なお、Ｓ２０５またはＳ２３５を経てＳ２４０へと移行した場合、そのＳ２４０では、車両操作ＥＣＵ１０は、携帯機器８０の操作者が自車両の周辺に存在することを報知しても良い。この報知は、ブザー５４を鳴動することで実現しても良いし、自車両に搭載されたナビゲーション装置やインジケータなどに表示することで実現しても良い。また、報知の内容は、操作者が存在する位置であっても良い。この操作者の位置は、周辺監視装置６４にて検出した結果を用いれば良い。
【００６０】
その後、車両操作ＥＣＵ１０は、本車両操作処理を終了し、次の起動タイミングまで待機する。
つまり、車両操作処理では、次の２つの条件を満たし、かつ、パワトレ制御機構を介した操作を受け付けていなければ、継続して自車両を駆動する。
【００６１】
その条件とは、近接無線通信部２０または近接無線通信部３０のいずれかを介して取得した携帯ＩＤが、予め登録された識別情報と一致していること（条件１）、かつ、携帯機器８０の操作受付部８２を介して入力された、規定操作を表す操作情報を取得していること（条件２）である。
【００６２】
すなわち、本実施形態の車両操作処理では、携帯機器８０との間の近接無線通信に成功しており、利用者が自車両を駆動するための操作を、携帯機器８０を介して入力している期間中は、自車両を駆動する。
【００６３】
しかも、自車両の駆動は、近接無線通信が、フロントに設置されたアンテナ２２を介して実行されていれば、自車両をリア方向に移動するように実現される。また、近接無線通信が、リアに設置されたアンテナ３２を介して実行されていれば、自車両をフロント方向に移動させるように実現される。
【００６４】
一方、本実施形態の車両操作処理では、携帯機器８０との間の近接無線通信に不成功である場合には、自車両の駆動を停止する。また、本実施形態の車両操作処理では、携帯機器８０との間の近接無線通信に成功していたとしても、利用者が自車両を駆動するための操作を、携帯機器８０を介して入力していなければ、自車両の駆動を停止する。
［第１実施形態の効果］
以上説明したように、遠隔操作システム１における車載システム５によれば、上述した条件１，２を満たした場合に、車両を駆動することができる。一方、車載システム５では、携帯機器８０からの情報を取得できない場合には、自車両の駆動を停止する。
【００６５】
したがって、自車両を駆動するために遠隔操作システム１の利用者が行う操作は、アンテナ２２またはアンテナ３２との間で近接無線通信可能な距離の範囲に、携帯機器８０を近づけるだけで良い。
【００６６】
このため、遠隔操作システム１によれば、自車両の遠隔操作に必要となる操作者の負担を低減することができる。
特に、遠隔操作システム１においては、自車両の駆動を継続するためには、アンテナ２２またはアンテナ３２との間で近接無線通信可能な距離の範囲内に携帯機器８０を維持し続ける必要がある。近接無線通信部２０，３０が近接無線通信によって情報通信可能な範囲は狭い。このため、遠隔操作システム１において、自車両を継続的に駆動するためには、アンテナ２２またはアンテナ３２との間で近接無線通信可能な距離の範囲内に携帯機器８０が位置し続けるように、車両の移動に併せて利用者自身も移動する必要がある。
【００６７】
したがって、遠隔操作システム１によれば、上述したように利用者自身も移動し、かつアンテナ２２またはアンテナ３２との間で近接無線通信可能な距離の範囲内に携帯機器８０の位置を維持し続けることにより、利用者が手で押しているような感覚で、車両の駆動を実現することができる。
【００６８】
車両操作処理における自車両の駆動は、近接無線通信が、フロントに設置されたアンテナ２２を介して実行されていれば、自車両をリア方向に移動するように実現される。近接無線通信が、リアに設置されたアンテナ３２を介して実行されていれば、自車両をフロント方向に移動させるように実現される。このため、遠隔操作システム１の利用者は、携帯機器８０を近づけるアンテナ２２，３２によって車両の駆動方向を変更することができる。
【００６９】
しかも、遠隔操作システム１においては、携帯機器８０を近づけるアンテナ２２，３２の設置位置とは反対側に車両を駆動するため、利用者の感覚に合致した駆動態様を実現できる。特に、遠隔操作システム１では、携帯機器８０を近づけるアンテナ２２，３２の設置位置とは反対側に車両を駆動することで、車両を駆動する際の利用者の安全をより高めることができる。
【００７０】
なお、遠隔操作システム１におけるアンテナ２２，３２は、自車両のフロントグリルに設けられたエンブレムや、車両のリアフレームに設けられたエンブレムの背面に配置されている。
【００７１】
このため、遠隔操作システム１の利用者は、フロントグリルに設けられたエンブレムに携帯機器８０を接近させれば、自車両を後方へと駆動することができ、リアフレームに設けられたエンブレムに携帯機器８０を接近させれば、自車両を前方へと駆動することができる。
【００７２】
ところで、本実施形態の車両操作処理では、自車両のステアリング角が直進許容範囲を超えている場合、ステアリング角が直進許容範囲内となるように、ステアリングを修正している。このため遠隔操作システム１によれば、自車両の駆動方向を直進方向に限定することができる。
【００７３】
また、本実施形態の車両操作処理では、操作条件を満たしていれば、開閉機構を施錠状態としている。この結果、遠隔操作システム１によれば、自車両の駆動中に、その車両に外部から人が乗り込むことを防止できる。
【００７４】
また、本実施形態の車両操作処理では、操作条件を満たしていれば、パワトレ制御機構を介した操作の受け付けを停止する。つまり、車両操作ＥＣＵ１０では、自車両の駆動中に、携帯機器８０を介した外部からの操作と矛盾した乗員による操作に従って車両を駆動することを防止できる。この結果、車両操作ＥＣＵ１０によれば、車両の駆動の安全性をより向上させることができる。
【００７５】
なお、車両操作処理では、操作条件を満たした場合には車両を駆動する前に、携帯機器８０に対して周辺情報を送信し、携帯機器８０に周辺情報を表示させている。このため、遠隔操作システム１の利用者は、車両の周辺の状況を車両が駆動される前に認識できる。
［第２実施形態］
第２実施形態の遠隔操作システムは、第１実施形態の遠隔操作システム１とは、主として、近接無線通信部の構造が異なる。このため、本実施形態においては、第１実施形態と同様の構成及び処理には、同一の符号を付して説明を省略し、第１実施形態とは異なる近接無線通信部を中心に説明する。
【００７６】
＜遠隔操作システム＞
本実施形態の遠隔操作システム３は、図４に示すように、車載システム５と、携帯機器８０とを備えている。遠隔操作システム３における車載システム５は、携帯機器８０を介して入力された情報に従って、車載システム５自身が搭載された四輪自動車ＡＭを駆動する。
【００７７】
図５に示すように、携帯機器８０は、操作受付部８２と、無線通信部８４と、近接無線通信部８６と、報知部８８と、制御部９０とを備えている。すなわち、本実施形態における携帯機器８０は、周知の携帯型の無線通信端末である。この携帯型の無線通信端末には、例えば、周知の携帯情報端末としての、スマートフォンやタブレット端末が含まれる。
【００７８】
次に、車載システム５は、車両操作ＥＣＵ１０と、近接無線通信部７０と、パワトレ系ＥＣＵ４０と、ステアリングＥＣＵ４５と、ボデーＥＣＵ５０と、周辺監視ＥＣＵ６０とを備えている。
【００７９】
近接無線通信部７０は、アンテナ７２と、アンテナ７４と、スイッチング（ＳＷ）部７６と、ＲＦ回路２４と、制御部２６とを備えている。
このうち、アンテナ７２は、近接無線通信によって情報を受信する。このアンテナ７２は、図６に示すように、自車両のＢピラー内部に配置される。アンテナ７４は、近接無線通信によって情報を受信する。このアンテナ７４は、自車両のＢピラー内部において、アンテナ７２より自車両の全長方向に沿った後方に配置される。
【００８０】
ＳＷ部７６は、携帯機器８０との近接無線通信の対象を、アンテナ７２とアンテナ７４との間で切り替えるスイッチング回路である。すなわち、ＳＷ部７６は、規定された時間間隔（例えば、数十［μｓ］）で、ＲＦ回路２４と接続する対象をアンテナ７２とアンテナ７４とで順次切り替える。
【００８１】
ＲＦ回路２４は、アンテナ７２またはアンテナ７４のいずれかにて受信した情報を制御部２６へと伝送する。制御部２６は、アンテナ７２またはアンテナ７４を介して近接無線通信のトリガー信号を出力すると共に、アンテナ７２またはアンテナ７４を介して受信した通信データを車両操作ＥＣＵ１０に出力する。
【００８２】
本実施形態の車両操作処理は、第１実施形態の車両操作処理における「近接無線通信部２０及び近接無線通信部３０」を「近接無線通信部７０」と、「近接無線通信部２０または近接無線通信部３０のいずれか」を「近接無線通信部７０」と、「アンテナ２２」を「アンテナ７２」と、「アンテナ３２」を「アンテナ７４」と読み替えることを除けば、第１実施形態の車両操作処理と同様である。このため、本実施形態の車両操作処理についての詳しい説明を省略する。
【００８３】
［第２実施形態の効果］
以上説明したように、本実施形態の車載システム５においては、アンテナ７２，アンテナ７４が、自車両側方のＢピラー内部に配置されている。
【００８４】
このため、本実施形態の遠隔操作システム３の利用者は、自車両の側方にて当該車両の駆動を操作できる。この結果、遠隔操作システム３の利用者は、例えば、自車両に乗り降りする際に、当該自車両の停止位置を微調整することができる。
［第３実施形態］
第３実施形態の遠隔操作システムは、第１実施形態の遠隔操作システム１及び第２実施形態の遠隔操作システム３とは、主として、近接無線通信部の構造及び車両操作処理の処理内容が異なる。このため、本実施形態においては、第１実施形態及び第２実施形態と同様の構成及び処理には、同一の符号を付して説明を省略し、第１実施形態及び第２実施形態とは異なる近接無線通信部及び車両操作処理を中心に説明する。
【００８５】
＜遠隔操作システム＞
図９に示すように、本実施形態の遠隔操作システム４は、車載システム５と、携帯機器８０とを備えている。
【００８６】
携帯機器８０は、操作受付部８２と、無線通信部８４と、近接無線通信部８６と、報知部８８と、制御部９０とを備えている。すなわち、本実施形態における携帯機器８０は、周知の携帯型の無線通信端末である。この携帯型の無線通信端末には、例えば、周知の携帯情報端末としての、スマートフォンやタブレット端末が含まれる。
【００８７】
次に、車載システム５は、車両操作ＥＣＵ１０と、近接無線通信部９８と、パワトレ系ＥＣＵ４０と、ステアリングＥＣＵ４５と、ボデーＥＣＵ５０と、周辺監視ＥＣＵ６０とを備えている。
【００８８】
近接無線通信部９８は、アンテナ９２と、ＲＦ回路９４と、制御部９６とを備えている。
このうち、アンテナ９２は、近接無線通信によって情報を受信する。このアンテナ９２は、図１０に示すように、自車両のＢピラー内部に配置される。
【００８９】
ＲＦ回路９４は、アンテナ９２にて受信した情報を制御部２６へと伝送する。制御部９６は、アンテナ９２を介して近接無線通信のトリガー信号を出力すると共に、アンテナ９２を介して受信した通信データを車両操作ＥＣＵ１０に出力する。
【００９０】
＜車両操作処理＞
本実施形態の車両操作処理が起動されると、図１１に示すように、車両操作ＥＣＵ１０は、まず、内燃機関（Ｅ／Ｇ）が停止しているか否かを判定する（Ｓ１１０）。
【００９１】
以下、Ｓ１２０〜Ｓ１６０までの各ステップにおいては、「近接無線通信部２０及び近接無線通信部３０」を「近接無線通信部９８」と、「近接無線通信部２０または近接無線通信部３０のいずれか」を「近接無線通信部９８」と読み替えることを除けば、第１実施形態の車両操作処理におけるＳ１２０〜Ｓ１６０と同様である。このため、本実施形態の車両操作処理におけるＳ１２０からＳ１６０までの各ステップについての詳しい説明を省略する。
【００９２】
本実施形態の車両操作処理におけるＳ１７５では、車両操作ＥＣＵ１０は、携帯機器８０から取得した操作情報によって表される自車両の進行方向が、リア方向であるかフロント方向であるかを判定する。
【００９３】
このＳ１７５へは、Ｓ１５０での判定の結果、自車両のステアリング角が直進許容範囲を超えている場合（Ｓ１５０：ＮＯ）には、ステアリング角が直進許容範囲内となるようにステアリングを修正した後（Ｓ１６０）移行する。また、Ｓ１７５へは、Ｓ１５０での判定の結果、自車両のステアリング角が直進許容範囲内であれば（Ｓ１５０：ＹＥＳ）、Ｓ１６０を実行することなく移行する。
【００９４】
そして、Ｓ１７５での判定の結果、操作情報によって表される自車両の進行方向がリア方向であれば、車両操作ＥＣＵ１０は、車両操作処理をＳ２１０へと移行させる。一方、Ｓ１７５での判定の結果、操作情報によって表される自車両の進行方向がフロント方向であれば、車両操作ＥＣＵ１０は、車両操作処理をＳ１８０へと移行させる。
【００９５】
以降、本実施形態の車両操作処理におけるＳ１８０〜Ｓ２４０までの各ステップは、第１実施形態におけるＳ１８０〜Ｓ２４０までの各ステップと同様であるため、ここでの詳しい説明は省略する。
【００９６】
［第３実施形態の効果］
本実施形態の遠隔操作システム４の利用者は、第２実施形態の遠隔操作システム３と同様の効果を得ることができる。しかも、遠隔操作システム４によれば、近接無線通信のアンテナの個数を最小限の個数（即ち、１つ）とすることができる。
［その他の実施形態］
以上、本発明の実施形態について説明したが、本発明は上記実施形態に限定されるものではなく、本発明の要旨を逸脱しない範囲において、様々な態様にて実施することが可能である。
【００９７】
上記実施形態における車両操作処理は、図３，図１１に示す処理内容にて実施されていたが、本発明における車両操作処理は、図３，図１１に示す処理内容に限るものではない。例えば、本発明の車両操作処理は、Ｓ１３０，Ｓ１５０，Ｓ１６０，Ｓ１８０，Ｓ２１０，Ｓ２０５，Ｓ２３５のうちの少なくとも１つのステップが省略されていても良いし、図７に示すように、Ｓ１３０，Ｓ１５０，Ｓ１６０，Ｓ１８０，Ｓ２１０，Ｓ２０５，Ｓ２３５の全てのステップが省略されていても良い。
【００９８】
上記実施形態における車両操作処理は、図３，図１１に示す処理内容にて実施されていたが、本発明における車両操作処理は、図３，図１１に示す処理内容に限るものではない。例えば、本発明の車両操作処理においては、Ｓ２０５，Ｓ２３５が省略されていても良い。
【００９９】
また、上記実施形態の車両操作処理では、自車両のステアリング角が直進許容範囲を超えていれば（Ｓ１５０：ＮＯ）、ステアリング修正指令をステアリングＥＣＵ４５に出力し（Ｓ１６０）、その後、Ｓ１７０またはＳ１７５へと移行していた。しかしながら、本発明の車両操作処理においては、図８に示すように、自車両のステアリング角が直進許容範囲を超えている場合に（Ｓ１５０：ＮＯ）、ステアリング修正指令を出力することなく、車両操作処理を終了しても良い。
【０１００】
さらには、上記実施形態の車両操作処理では、操作条件を満たしていなければ（Ｓ２００：ＮＯ，Ｓ２３０：ＮＯ）、自車両の駆動を停止していたが（Ｓ２４０）、本発明における車両操作処理では、Ｓ２４０が省略されていても良い。この場合、本発明の車両操作処理におけるＳ１９０やＳ２２０では、車両操作ＥＣＵ１０は、予め規定された規定時間（例えば、数［ｍｓ］）だけ、自車両が駆動されるように、駆動機関やパワートレイン機構、制動機構を制御すれば良い。図３、図７，図１１に示す車両操作処理においては、Ｓ１８０からＳ２００までのサイクル、またはＳ２１０からＳ２３０までのサイクルが、規定時間の間に実行されるように構成しても良い。
【０１０１】
また、上記実施形態における携帯機器８０は、周知の携帯型の無線通信端末として構成されていたが、本発明における携帯機器は、これに限るものではない。本発明における携帯機器は、例えば、携帯キーと車載装置との間で無線通信による認証に成功すると、ドアの施解錠や内燃機関の始動を受け付ける電子キーシステムを構成する携帯キーとして構成されていても良い。この場合の携帯機器においては、報知部８８が省略されていても良い。
【０１０２】
また、携帯機器が電子キーとして構成される場合、規定操作は、電子キーに設けられたスイッチを規定時間以上継続して押下することであっても良いし、その他の操作であっても良い。
【０１０３】
上記実施形態においては、車載システム５を搭載する対象を四輪自動車ＡＭとしていたが、本発明において、車載システム５を搭載する対象は、四輪自動車ＡＭに限るものではない。例えば、オートバイなどの二輪自動車であっても良いし、六輪以上の車輪を有した特殊自動車であっても良い。つまり、車載システム５が搭載される対象は、駆動機関を有した車両であればどのようなものであっても良い。
【０１０４】
また、上記実施形態においては、駆動機関が内燃機関であるものとして車両操作処理の説明を行ったが、本発明における駆動機関は、電動機であっても良いし、燃料電池であっても良いし、その他の機関であっても良い。
【０１０５】
なお、上記実施形態の構成の一部を省略した態様も本発明の実施形態である。また、上記実施形態と変形例とを適宜組み合わせて構成される態様も本発明の実施形態である。また、特許請求の範囲に記載した文言によって特定される発明の本質を逸脱しない限度において考え得るあらゆる態様も本発明の実施形態である。
【０１０６】
上記実施形態の説明で用いる符号を特許請求の範囲にも適宜使用しているが、各請求項に係る発明の理解を容易にする目的で使用しており、各請求項に係る発明の技術的範囲を限定する意図ではない。
【０１０７】
また、本発明は、前述した車両制御装置の他、車両を遠隔操作するためにコンピュータが実行するプログラム、車載装置を制御する制御方法等、種々の形態で実現することができる。
【符号の説明】
【０１０８】
１，３…遠隔操作システム  ５…車載システム  １０…車両操作ＥＣＵ  １２…ＲＯＭ  １４…ＲＡＭ  １６…ＣＰＵ  ２０，３０，７０，９８…近接無線通信部  ２２，３２，７２，７４，９２…アンテナ  ２４，３４，９４…ＲＦ回路  ２６，３６，９６…制御部  ４０…パワトレ系ＥＣＵ  ４５…ステアリングＥＣＵ  ５０…ボデーＥＣＵ  ５２…アクチュエータ  ５４…ブザー  ６０…周辺監視ＥＣＵ  ６２…無線通信部  ６４…周辺監視装置  ７６…ＳＷ部  ８０…携帯機器  ８２…操作受付部  ８４…無線通信部  ８６…近接無線通信部  ８８…報知部  ９０…制御部
【図１】
0006417798.tif 000002
【図２】
0006417798.tif 000003
【図３】
0006417798.tif 000004
【図４】
0006417798.tif 000005
【図５】
0006417798.tif 000006
【図６】
0006417798.tif 000007
【図７】
0006417798.tif 000008
【図８】
0006417798.tif 000009
【図９】
0006417798.tif 000010
【図１０】
0006417798.tif 000011
【図１１】
0006417798.tif 000012